(57)【要約】【課題】ブランクの大型化を抑制し、簡単かつ確実に組立可能とする。【解決手段】トレイ２０は、内壁部３４に設けられた第１差込溝４８と、第１差込溝４８に差し込んだ配置部材（仕切壁５１）の第１突出部５６Ａが離脱することを防止する規制部４９と、第１突出部５６Ａを第１差込溝４８に差し込んだ状態で第２突出部５６Ｂが上方から差し込まれる第２差込溝５０と、を有し、第１差込溝４８および規制部４９を第１の保持壁２４Ａに設けるとともに第２差込溝５０を第２の保持壁２４Ｂに設けた第１配置部４６と、第１差込溝４８および規制部４９を第２の保持壁２４Ｂに設けるとともに第２差込溝５０を第１の保持壁２４Ａに設けた第２配置部４７とを備える。【選択図】図１
2015000752.tif 000002
【特許請求の範囲】
【請求項１】
水平方向に延びるように配置した底壁の対向位置に、前記底壁に対して上向きに屈曲された外壁部と、前記外壁部に対して内向きに屈曲された上壁部と、前記上壁部に対して下向きに屈曲された内壁部と、を有する第１および第２保持壁を設けたトレイにおいて、
前記内壁部に設けられ、配置部材の第１突出部が差し込まれる第１差込溝と、
前記第１差込溝に差し込んだ状態で、前記配置部材の前記第１突出部の上方に設けられ、前記第１突出部が前記第１差込溝から離脱することを防止する規制部と、
前記第１差込溝の対向位置に設けられ、前記内壁部から前記上壁部にかけて延び、前記配置部材の前記第１突出部を前記第１差込溝に差し込んだ状態で前記第１突出部の反対側の第２突出部が上方から差し込まれる第２差込溝と、
を有し、前記第１差込溝および前記規制部を前記第１保持壁に設けるとともに前記第２差込溝を前記第２保持壁に設けた第１配置部と、前記第１差込溝および前記規制部を前記第２保持壁に設けるとともに前記第２差込溝を前記第１保持壁に設けた第２配置部とを備えることを特徴とするトレイ。
【請求項２】
前記第１差込溝を前記第１および第２保持壁の対向位置にそれぞれ設けた保持壁固定用配置部を更に備えることを特徴とする請求項１に記載のトレイ。
【請求項３】
前記第１および第２配置部を、前記第１および第２保持壁の延び方向に沿って交互に設けたことを特徴とする請求項１または請求項２に記載のトレイ。
【請求項４】
前記第１差込溝は、前記内壁部から前記上壁部にかけて延びるように設けられ、前記規制部は、前記第１差込溝の先端に位置するように前記上壁部に設けられることを特徴とする請求項１乃至請求項３のいずれか１項に記載のトレイ。
【請求項５】
前記配置部材は、両端に前記第１および第２突出部が延設され、前記底壁上に配置する物品を仕切る仕切壁であることを特徴とする請求項１乃至請求項４のいずれか１項に記載のトレイ。
【発明の詳細な説明】
【技術分野】
【０００１】
本発明は、物品を収容または配置するトレイに関する。
【背景技術】
【０００２】
トレイは、底壁の両端に、連続した外壁部と上壁部と内壁部とを有する保持壁を備える。各保持壁には、仕切壁または物品を配置するための差込溝が形成されている。仕切壁の両端を各保持壁の差込溝に差し込むことにより、物品を収容する空間が画定される。また、物品の両端（例えば突出部）を各保持壁の差込溝に差し込むことにより、物品が架設して配置される。
【０００３】
特許文献１のトレイは、第１保持壁の内壁部に第１差込溝が設けられ、第２保持壁に内壁部から上壁部にかけて延びる第２差込溝が設けられている。このトレイは、物品の第１突出部を第１差込溝に差し込んだ状態で、第２突出部を第２差込溝に上方から差し込むことにより、両保持壁にかけて物品が架設される。
【０００４】
特許文献２のトレイは、内壁部から上壁部にかけて延びる差込溝が両保持壁に設けられている。このトレイは、物品の各突出部を第１および第２保持壁の差込溝に上方から差し込むことにより、両保持壁にかけて物品が架設される。なお、物品の代わりに仕切壁を配置するトレイは、この特許文献２と同様に差込溝が形成される。
【０００５】
各トレイは、形成材料の腰（反発力）により各保持壁に組立前の平坦な状態に戻る力が作用する。そのため、特許文献１，２のトレイには、保持壁を組立状態に維持するための固定構造が設けられている。特許文献１では、対向する保持壁にそれぞれ隣接する枠壁を設け、この枠壁と保持壁とを係着している。特許文献２では、内壁部に糊代部を連設し、糊代部を底壁に貼着している。
【０００６】
しかしながら、特許文献１のトレイは、保持壁を枠壁によって固定するため、ブランクの面積が大きくなるとともに形状が複雑になり、コスト高になる。また、特許文献２のトレイは、ブランクの大型化は抑えることは可能であるが、煩雑な貼着作業が増えるため、やはりコスト高になる。なお、物品の代わりに仕切壁を配設するトレイも同様である。
【先行技術文献】
【特許文献】
【０００７】
【特許文献１】特開２００９−２２７３１１号公報
【特許文献２】米国特許第４４５０９６５号明細書
【発明の概要】
【発明が解決しようとする課題】
【０００８】
本発明は、ブランクの大型化を抑制し、簡単かつ確実に組み立てることが可能なトレイを提供することを課題とする。
【課題を解決するための手段】
【０００９】
前記課題を解決するため、本発明のトレイは、水平方向に延びるように配置した底壁の対向位置に、前記底壁に対して上向きに屈曲された外壁部と、前記外壁部に対して内向きに屈曲された上壁部と、前記上壁部に対して下向きに屈曲された内壁部と、を有する第１および第２保持壁を設けたトレイにおいて、前記内壁部に設けられ、配置部材の第１突出部が差し込まれる第１差込溝と、前記第１差込溝に差し込んだ状態で、前記配置部材の前記第１突出部の上方に設けられ、前記第１突出部が前記第１差込溝から離脱することを防止する規制部と、前記第１差込溝の対向位置に設けられ、前記内壁部から前記上壁部にかけて延び、前記配置部材の前記第１突出部を前記第１差込溝に差し込んだ状態で前記第１突出部の反対側の第２突出部が上方から差し込まれる第２差込溝と、を有し、前記第１差込溝および前記規制部を前記第１保持壁に設けるとともに前記第２差込溝を前記第２保持壁に設けた第１配置部と、前記第１差込溝および前記規制部を前記第２保持壁に設けるとともに前記第２差込溝を前記第１保持壁に設けた第２配置部とを備える。なお、トレイは、底壁が水平方向に延びるように配置される使用形態に限られず、垂直方向に延びるように配置される形態でも使用可能である。そして、底壁の姿勢が変更されると、各保持壁の姿勢（方向性）も変わる。
【００１０】
なお、各差込溝は、少なくとも一部の溝幅が、配置部材の突出部の肉厚と実質的に同一であることが好ましい。また、配置部材の第１突出部の上部とは、第１差込溝が内壁部の上端まで延びるように形成される場合には上壁部であり、第１差込溝が内壁部の上端まで延びないように形成される場合には内壁部の上部である。さらに、第１および第２保持壁は、各差込溝を内壁部の下端まで延びるように形成する場合、内壁部に対して外向きに屈曲される底側重畳部を連設する一方、各差込溝を内壁部の下端まで延設しない場合、底側重畳部を連設しない構成を実現できる。
【００１１】
このトレイは、配置部材の第１および第２突出部を第１および第２差込溝に差し込むと、規制部によって第１突出部の上向きの移動が規制され、配置部材の脱落が防がれる。また、第１差込溝を形成した保持壁は、第１突出部の差し込みにより、反発力による展開作用が阻止され、組立状態が維持される。そして、トレイは、第１差込溝および規制部を、第１保持壁に形成した第１配置部と第２保持壁に形成した第２配置部とを備えるため、底壁の対向位置に設けた各保持壁を確実に組立状態に維持できる。
【００１２】
このように、本発明のトレイは、外壁部と上壁部と内壁部とを有する保持壁に、配置部材を配置するだけで、簡単かつ確実に組み立てることができる。よって、保持壁を組立状態に維持するための特別な構造を設ける必要がないため、ブランクの大型化を抑制できるとともに、コスト高になることを抑制できる。
【００１３】
トレイは、前記第１差込溝を前記第１および第２保持壁の対向位置にそれぞれ設けた保持壁固定用配置部を更に備える。この場合、一番最初に保持壁固定用配置部へ配置部材を配置する。これにより、対向する各保持壁を確実に組立状態に維持できるため、他の第１および第２配置部への配置部材の組立作業性を向上できる。
【００１４】
前記第１および第２配置部を、前記第１および第２保持壁の延び方向に沿って交互に設けることが好ましい。なお、この構成は、第１および第２配置部の他に更に別の第３配置部（例えば保持壁固定用配置部）を形成することを含む。この場合、交互に配置する第１または第２配置部の代わりに第３配置部を形成する構成（第１配置部、第２配置部、第１配置部、第３配置部、第１配置部、第２配置部…）、および、第３配置部を間に割り込ませる構成（第１配置部、第２配置部、第１配置部、第３配置部、第２配置部、第１配置部…）、の両方を含む。
【００１５】
前記第１差込溝は、前記内壁部から前記上壁部にかけて延びるように設けられ、前記規制部は、前記第１差込溝の先端に位置するように前記上壁部に設けられる。このようにすれば、第１差込溝に配置部材の第１突出部を差し込む際の作業性を向上できる。また、第１差込溝の先端に位置する規制部によって、配置部材の第１突出部が第１差込溝から離脱することを確実に防止できる。
【００１６】
なお、前記配置部材は、両端に前記第１および第２突出部が延設され、前記底壁上に配置する物品を仕切る仕切壁である。または、前記配置部材は、両端に前記第１および第２突出部が突設され、前記第１および第２保持壁間に架設する物品である。
【発明の効果】
【００１７】
本発明のトレイは、配置部材の突出部を差込溝に差し込んで配置するだけで、外壁部と上壁部と内壁部とを有する保持壁を、簡単かつ確実に組立状態に維持できる。よって、ブランクの大型化を防止できるとともに、コスト高になることも防止できる。
【図面の簡単な説明】
【００１８】
【図１】本発明に係る実施形態のトレイを示す斜視図。
【図２】トレイの第１組立状態を示す斜視図。
【図３】トレイの第２組立状態を示す斜視図。
【図４】トレイの第３組立状態を示す斜視図。
【図５】（Ａ）はトレイのブランクを示す平面図、（Ｂ）は仕切壁のブランクを示す平面図。
【図６】（Ａ）〜（Ｄ）は図５の一部拡大断面図。
【図７】トレイの変形例を示す斜視図。
【発明を実施するための形態】
【００１９】
以下、本発明の実施の形態を図面を参照して説明する。
【００２０】
図１は、本発明に係る実施形態のトレイ２０を示す。このトレイ２０は、トレイ本体２１に形成した一対の保持壁２４Ａ，２４Ｂに、別体の仕切壁５１を複数配置することにより、底壁２２上が複数の物品１の配置空間に仕切られている。本発明では、貼着や専用の固定構造を用いることなく、配置部材である仕切壁５１の配置により、第１および第２の保持壁２４Ａ，２４Ｂを組立状態に維持可能とする。
【００２１】
なお、以下の説明では、必要に応じて特定の方向や位置を示す用語（例えば、「上」、「下」、「側」、「端」、「天」、「底」を含む用語）を用いるが、それらの用語の使用は図面を参照した発明の理解を容易にするためであって、それらの用語の意味によって本発明の技術的範囲が限定されるものではない。
【００２２】
トレイ本体２１および仕切壁５１は、段ボール紙１０を周知の紙器打抜装置によって、それぞれ図５（Ａ），（Ｂ）に示す一枚のブランクとして打ち抜いて形成される。段ボール紙１０は、図６（Ａ）に示すように、表ライナ１１および裏ライナ１２の間に波状の中しん１３を配設した構成である。図５中、一点鎖線は、図６（Ｂ）に示すように、肉厚を圧縮するように裏ライナ１２の側から罫を入れて形成した折曲線を示す。また、ブランク中の実線は、刃を入れて形成した切断線（ハーフカットを含む）、および、打ち抜きによる形状線（縁）を示す。
【００２３】
図５（Ａ）に示すように、トレイ本体２１は、縦方向の寸法が横方向の寸法より短い長方形状の底壁２２を備える。底壁２２の縦方向の両端中央には、図示しない包装箱の内部に積み重ねて収容させた際に、取出用の指差込穴として用いられる切欠部２３が設けられている。なお、段ボール紙１０は、中しん１３が横方向に延びるように打ち抜かれる。
【００２４】
トレイ本体２１は、底壁２２の横方向に対向する両側に保持壁２４Ａ，２４Ｂが連設され、底壁２２の縦方向の両端には何も連設されていない。保持壁２４Ａ，２４Ｂは、底壁２２の側縁に連続する外壁部２５と、外壁部２５の外側縁に連続する上壁部３２と、上壁部３２の外側縁に連続する内壁部３４と、内壁部３４の外側縁に連続する底側重畳部３６と、底側重畳部３６の外側縁に連続する外側重畳部３８とを有する。なお、以下の説明では、図中右側を第１の保持壁２４Ａと称し、左側を第２の保持壁２４Ｂと称する。但し、実際の使用上、第１および第２の保持壁２４Ａ，２４Ｂの差異はない。
【００２５】
外壁部２５は、組立状態で底壁２２に対して直交方向上向きに屈曲するように折り曲げられる。この外壁部２５は、収容する物品１の全高に応じて組立状態での全高である横幅が設定される。底壁２２および外壁部２５の境界部分には、段ボール紙１０の反発力を低減するとともに、屈曲状態の維持を補助する第１屈曲用罫線２６が設けられている。
【００２６】
第１屈曲用罫線２６は、直線上に位置するように所定間隔をあけて設けた複数（本実施形態では５本）の折曲線２７と、折曲線２７，２７の端部間に設けた係合用切断部２８とを備える。係合用切断部２８は、裏ライナ１２から表ライナ１１にかけて刃を入れた切断線（図６（Ｃ）参照）により形成される。具体的には、折曲線２７に対して交差するように横方向に延びる第１切断部２９ａ〜２９ｄと、隣り合う第１切断部２９ａ〜２９ｄの端部を連続するように設けた第２切断部３０ａ〜３０ｃとを有する。３本の第２切断部３０ａ〜３０ｃのうち、両側の第２切断部３０ａ，３０ｃは、保持壁２４Ａ，２４Ｂの側に位置するように設けられ、中央の第２切断部３０ｂは、底壁２２の側に位置するように設けられている。これにより、係合用切断部２８の内部には、屈曲状態を保持するための係止片３１ａ〜３１ｃが形成される。
【００２７】
上壁部３２は、組立状態で外壁部２５に対して直交方向内向きに屈曲するように折り曲げられる。この上壁部３２は、収容する物品１の全長に応じて横幅が設定される。具体的には、第１および第２の保持壁２４Ａ，２４Ｂの上壁部３２，３２の先端が物品１の端部に位置するように設定される。外壁部２５および上壁部３２の境界部分には折曲線３３が設けられている。
【００２８】
内壁部３４は、組立状態で上壁部３２に対して直交方向下向きに屈曲するように折り曲げられる。この内壁部３４は、外壁部２５の横幅より段ボール紙１０の肉厚分小さい横幅に設定される。上壁部３２および内壁部３４の境界部分には折曲線３５が設けられている。
【００２９】
底側重畳部３６は、組立状態で内壁部３４に対して直交方向外向きに屈曲され、底壁２２の上面に重畳するように折り曲げられる。この底側重畳部３６は、上壁部３２の横幅より段ボール紙１０の肉厚分小さい横幅に設定される。内壁部３４および底側重畳部３６の境界部分には折曲線３７が設けられている。
【００３０】
外側重畳部３８は、組立状態で底側重畳部３６に対して直交方向上向きに屈曲され、外壁部２５の内面に重畳するように折り曲げられる。この外側重畳部３８は、内壁部３４の横幅より段ボール紙１０の肉厚分小さい横幅に設定される。底側重畳部３６および外側重畳部３８の境界部分には第２屈曲用罫線３９が設けられている。第２屈曲用罫線３９は、第１屈曲用罫線２６と同様に、複数の折曲線４０と、係合用切断部４１とを備える。係合用切断部４１は、第１切断部４２ａ〜４２ｄと、第２切断部４３ａ〜４３ｃとを有し、これらにより内部に係止片４４ａ〜４４ｃを形成されている。
【００３１】
トレイ本体２１には、第１および第２の保持壁２４Ａ，２４Ｂにかけて仕切壁５１を架設配置するために、３種の配置部４５〜４７が設けられている。これら配置部４５〜４７は、２種の差込溝４８，５０の組み合わせにより設定される。具体的には、本実施形態では、１０本の物品１を配置するために、１１本の仕切壁５１が配設される。縦方向の中央には、第１差込溝４８を第１および第２の保持壁２４Ａ，２４Ｂの対向位置にそれぞれ設けることにより、保持壁固定用配置部（第３配置部）４５が形成される。その他の部分には、第１差込溝４８を第１の保持壁２４Ａに設けるとともに第２差込溝５０を第２の保持壁２４Ｂに設けた第１配置部４６と、第１差込溝４８を第２の保持壁２４Ｂに設けるとともに第２差込溝５０を第１の保持壁２４Ａに設けた第２配置部４７とが、保持壁２４Ａ，２４Ｂの延び方向である縦方向に所定間隔をあけて交互に形成される。言い換えれば、本実施形態では、仕切壁５１を配置する１１カ所の配置部のうち、第１および第２配置部４６，４７を縦方向に交互に配置し、中央を第２配置部４７の代わりに保持壁固定用配置部４５とした構成である。
【００３２】
第１差込溝４８は、内壁部３４から上壁部３２にかけて延びるように設けられ、仕切壁５１の第１の突出部５６Ａが差し込まれる。具体的には、組立状態で内壁部３４の下端に位置する折曲線３７から、折曲線３５を越えて上壁部３２の中央まで、横方向に延びるように形成される。第１差込溝４８の幅は、段ボール紙１０の肉厚の約２倍に設定される。なお、上壁部３２の第１差込溝４８の先端（延長線上）に位置する部分は、第１差込溝４８に差し込んだ突出部５６Ａの上方に位置し、突出部５６Ａが第１差込溝４８から離脱することを防止する規制部４９の役割をなす。
【００３３】
第２差込溝５０は、第１および第２の保持壁２４Ａ，２４Ｂにおける第１差込溝４８の対向位置に設けられる。この第２差込溝５０は、仕切壁５１の第２の突出部５６Ｂを上方から差し込んで配置できるように、内壁部３４から上壁部３２にかけて延びるように設けられる。具体的には、組立状態で内壁部３４の下端に位置する折曲線３５から、折曲線３５を越えて折曲線３３にかけて、横方向に延びるように形成される。また、第２差込溝５０の幅は、第１差込溝４８と同様に、段ボール紙１０の肉厚の約２倍に設定される。
【００３４】
図５（Ｂ）に示すように、仕切壁５１は、線対称形状をなす一対の板部５２Ａ，５２Ｂを備える。段ボール紙１０は、中しん１３が図５（Ｂ）中横方向に延びるように打ち抜かれる。板部５２Ａ，５２Ｂの境界部分には、表ライナ１１の側から刃を入れて表ライナ１１を切断し、裏ライナ１２は切断しない連続部としたハーフカット線５３（図６（Ｄ）参照）により区画されている。なお、中しん１３は、切断した状態を図示しているが、一部のみが切断される場合および切断されない場合も含む。
【００３５】
仕切壁５１は、ハーフカット線５３に沿って折り曲げて板部５２Ａ，５２Ｂを重畳させた状態で使用される。この組立状態での全高である板部５２Ａ，５２Ｂの横幅は、組立状態の底壁２２の上面から上壁部３２の上面までの寸法と実質的に同一に設定される。組立状態で上端両側に位置するハーフカット線５３の両端部分には第１切欠部５４が設けられている。この第１切欠部５４の端部５４ａは、組立状態で第１差込溝４８の端部に位置する。また、組立状態で下端両側に位置する角部には第２切欠部５５が設けられている。この第２切欠部５５の端部５５ａは、組立状態で差込溝４８，５０間に位置する底側重畳部３６の端部に位置する。
【００３６】
図５（Ｂ）に薄墨を付して示す第２切欠部５５の外側部分は、各差込溝４８，５０に差し込まれる突出部５６Ａ，５６Ｂを構成する。なお、各突出部５６Ａ，５６Ｂは同一形状であり、使用上何の差異もない。しかし、以下の説明では、最初に差し込むものを第１の突出部５６Ａ、後で差し込むものを第２の突出部５６Ｂという。突出部５６Ａ，５６Ｂの両端間の寸法（全長）は、組立状態の外側重畳部３８，３８の間の寸法と実質的に同一である。また、各突出部５６Ａ，５６Ｂの肉厚は、各差込溝４８，５０の溝幅と実質的に同一である。
【００３７】
このように構成したトレイ２０は、図５（Ａ），（Ｂ）に示すブランク状態で、物品１の製造メーカに出荷される。そして、使用時にトレイ本体２１に仕切壁５１を配置して組み立て、区画した配置空間に物品１を配置する。図示のトレイ２０に配置する物品１は、例えば直径３０ｍｍ、重さ３５０ｇのガラス筒製品である。
【００３８】
トレイ２０を組み立てる際には、図２に示すように、左側の第２の保持壁２４Ｂを、外側重畳部３８、底側重畳部３６、内壁部３４、上壁部３２および外壁部２５の順番で折り曲げる。その後、保持壁固定用配置部４５を構成する保持壁２４Ｂの第１差込溝４８に、折り重ねた仕切壁５１の第１の突出部５６Ａを上方から斜めに差し込む。この際、第１切欠部５４を上側に位置させ、第２切欠部５５を下側に位置させた状態で、突出部５６Ａを差し込む。
【００３９】
ついで、右側の第１の保持壁２４Ａを、外側重畳部３８、底側重畳部３６、内壁部３４、上壁部３２および外壁部２５の順番で折り曲げる。そして、図示するように、底壁２２に対して保持壁２４Ａを斜めに傾けた状態で、保持壁２４Ａの保持壁固定用配置部４５を構成する第１差込溝４８に、仕切壁５１の第２の突出部５６Ｂを上側から差し込む。
【００４０】
その後、仕切壁５１の第２の突出部５６Ｂが第１の保持壁２４Ａ内に配置されるように、突出部５６Ｂを下向きに押圧しながら、第１の保持壁２４Ａを折曲線２７に沿って折り曲げる。これにより、図３に示すように、一対の第１差込溝４８，４８を有する保持壁固定用配置部４５に、１本目の仕切壁５１が配置される。なお、第１および第２の保持壁２４Ａ，２４Ｂを逆順で折り曲げてもよい。
【００４１】
ここで、直径３０ｍｍのガラス筒製品を配置するトレイ２０は、保持壁２４Ａ，２４Ｂの全高も３０ｍｍでよく、このような小さな枠壁は、段ボール紙１０の反発力で外に開いてしまう。しかし、本実施形態では、仕切壁５１を保持壁固定用配置部４５に配置した状態では、突出部５６Ａ，５６Ｂが第１差込溝４８，４８内の重畳部３６，３８に沿って位置し、突出部５６Ａ，５６Ｂの先端上部に規制部４９が位置する。また、第１差込溝４８の両端に仕切壁５１の各切欠部５４，５５が位置する。そのため、段ボール紙１０の反発力による一対の保持壁２４Ａ，２４Ｂの展開作用が阻止され、組立状態が確実に維持される。
【００４２】
次に、全ての第１および第２配置部４６，４７に仕切壁５１を配置する。即ち、図４に示すように、第１の保持壁２４Ａの第１差込溝４８に仕切壁５１の第１の突出部５６Ａを差し込む。この状態で、第１の突出部５６Ａを中心として回転させるようにして、反対側に位置する第２の突出部５６Ｂを第２の保持壁２４Ｂの第２差込溝５０に上方から差し込む（第１配置部４６）。同様に、第２の保持壁２４Ｂの第１差込溝４８に仕切壁５１の第１の突出部５６Ａを差し込んだ後、反対側に位置する第２の突出部５６Ｂを第１の保持壁２４Ａの第２差込溝５０に差し込む（第２配置部４７）。
【００４３】
このように、第１および第２配置部４６，４７は、仕切壁５１の突出部５６Ａ，５６Ｂをロック可能な第１差込溝４８を保持壁２４Ａ，２４Ｂの一方だけとし、他方は上方から差込可能な第２差込溝５０としている。そのため、組立作業性を向上しつつ、ロック性能を確保できる。また、中央の１箇所だけは両側ロックとし、その他は片側ロックで交互にしているため、バランスよくロックできる。なお、第２差込溝５０は、特別なロック構造は設けていないが、溝幅を仕切壁５１の肉厚と実質的同一に形成しているため、これらの間に生じる摩擦抵抗により、第２の突出部５６Ｂの抜け止めが図られる。
【００４４】
図１に示すように、全ての配置部４５〜４７に仕切壁５１を配置し、区画された配置空間に物品１を配置する。そして、図示しない周知の包装箱に複数のトレイ２０を積み重ねて収容させて輸送する。この際、本実施形態のトレイ２０は、上下方向に延びる壁部２５，３４，３８，５１に対して中しん１３が上下方向に延びるように設定されているため、十分な耐圧強度を確保できる。また、保持壁２４Ａ，２４Ｂは、第１差込溝４８に先端に規制部４９（連続部）を残存させているため、剛性の低下を抑制できる。
【００４５】
このように、本発明のトレイ２０は、仕切壁５１の突出部５６Ａ，５６Ｂを差込溝４８，５０に差し込んで配置するだけで仕切壁５１の移動が規制され、トレイ本体２１から仕切壁５１の脱落を防止できる。また、第１差込溝４８を形成した保持壁２４Ａ，２４Ｂは、突出部５６Ａの差し込みにより、反発力による展開作用が阻止され、組立状態が維持される。よって、簡単かつ確実に組み立てることができるうえ、保持壁２４Ａ，２４Ｂの固定するための特別な構造を設ける必要がないため、ブランクの大型化を抑制できるとともに、コスト高になることを抑制できる。
【００４６】
しかも、本実施形態では、第１差込溝４８を保持壁２４Ａ，２４Ｂの対向位置に設けた保持壁固定用配置部４５として設けているため、この保持壁固定用配置部４５に仕切壁５１を最初に配置することで、第１および第２配置部４６，４７への仕切壁５１の配置作業性を大幅に向上できる。また、第１差込溝４８は、内壁部３４から上壁部３２にかけて延びるように設けられ、第１差込溝４８の先端部分に位置する上壁部３２で規制部４９を構成している。そのため、第１差込溝４８からの突出部５６Ａの離脱を確実に防止したうえで、第１差込溝４８への突出部５６Ａの差込作業性を大幅に向上できる。
【００４７】
なお、本発明のトレイ２０は、前記実施形態の構成に限定されるものではなく、種々の変更が可能である。
【００４８】
例えば、トレイ２０は、図１に示すように底壁２２が水平方向に延びるように配置される使用形態に限られず、垂直方向に延びるように配置される形態でも使用可能である。そして、底壁２２の姿勢が変更されると、各保持壁２４Ａ，２４Ｂの姿勢（方向性）も変わる。即ち、本発明では、底壁２２、保持壁２４Ａ，２４Ｂおよび差込溝４８，５０の構成を明確にするために、底壁２２を水平方向に延びるように配置した姿勢を基準としているが、底壁２２を垂直方向に延びるように配置したトレイ２０であっても、本発明の技術的範囲に含まれる。
【００４９】
また、前記実施形態では、トレイ本体２１に仕切壁５１を配置して物品１を配置する空間を画定したが、図７に示すように、物品１を第１および第２差込溝４８，５０に直接配置し、一対の保持壁２４Ａ，２４Ｂに架設する構成としてもよい。この物品１としては、例えば両端から突出部５６Ａ，５６Ｂとして回転軸が突設されたローラが挙げられる。また、この変形例では、一対の第１差込溝４８，４８からなる保持壁固定用配置部４５は設けていない。さらに、第１および第２差込溝４８，５０の溝幅は、回転軸の直径と実質的同一に形成される。このように構成したトレイ２０は、第１および第２配置部４６，４７に物品１をそれぞれ配置することで、前記と同様に保持壁２４Ａ，２４Ｂを組立状態に維持できる。
【００５０】
さらに、前記実施形態では、内壁部３４から上壁部３２にかけて延びるように第１差込溝４８を形成したが、内壁部３４だけ開口するように設けてもよい。この場合、第１差込溝４８は、組立状態での内壁部３４の上端まで延びるように設けてもよいうえ、上端までは延びないように設けてもよい。但し、上端まで延びないように形成する場合には、第１の突出部５６Ａの離脱を防止する規制部４９は、内壁部３４の上部により構成される。また、第１および第２差込溝４８，５０は、内壁部３４の下端まで延びるように形成したが、下端までは延びないように形成してもよい。この場合、外側重畳部３８を含む底側重畳部３６は、連設しない構成としてもよい。
【００５１】
さらにまた、保持壁２４Ａ，２４Ｂは、断面長方形状をなすようにしたが、直角台形状や二等辺台形状に形成してもよい。また、組立状態の保持壁２４Ａ，２４Ｂ上を覆う蓋壁を底壁２２の縦方向の一端に連設して、単独の包装箱として使用可能としてもよい。
【００５２】
そして、前記実施形態では、トレイ２０を段ボール紙１０を打ち抜いて形成したが、樹脂段ボールを打ち抜いて形成してもよい。また、段ボールに限られず、単一の厚紙や樹脂シートにより形成してもよい。
【符号の説明】
【００５３】
１…物品
２０…トレイ
２１…トレイ本体
２２…底壁
２４Ａ，２４Ｂ…保持壁
２５…外壁部
３２…上壁部
３４…内壁部
３６…底側重畳部
３８…外側重畳部
４５…保持壁固定用配置部
４６…第１配置部
４７…第２配置部
４８…第１差込溝
４９…規制部
５０…第２差込溝
５１…仕切壁
５６Ａ，５６Ｂ…突出部
【図１】
2015000752.tif 000003
【図２】
2015000752.tif 000004
【図３】
2015000752.tif 000005
【図４】
2015000752.tif 000006
【図５】
2015000752.tif 000007
【図６】
2015000752.tif 000008
【図７】
2015000752.tif 000009